(57)【要約】  【課題】  点検箇所の上方に点検口が設けられていないポンプケーシングであっても、内視鏡を用いて点検箇所を容易に点検することのできる立軸ポンプの点検方法を提供する。  【解決手段】  立軸ポンプ１のポンプケーシング２の点検箇所の上方からオフセットされた位置の孔部１７に取り付けられている他の機器１６を取り外す。ポンプ点検治具２０を孔部１７からポンプケーシング２の内部に挿入し、ポンプ点検治具２０の出口部２３をポンプケーシング２の内部において点検箇所の上方に配置する。ポンプ点検治具２０の入口部２２から内視鏡の先端を挿入する。ポンプ点検治具２０の出口部２３から外出した内視鏡の先端を下降させて、内視鏡の先端を点検箇所の近傍に配置する。内視鏡の先端に設けられた撮影装置で点検箇所を撮影する。【選択図】  図１
2018178714.tif 000002
【特許請求の範囲】
【請求項１】
内視鏡およびポンプ点検治具を用いて立軸ポンプのポンプケーシングの内部を点検する点検方法であって、
前記ポンプケーシングには、点検箇所の上方に点検口が設けられておらず、前記点検箇所の上方からオフセットされた位置に他の機器が取り付けられる孔部が設けられており、
前記ポンプ点検治具は、
前記内視鏡が内部に挿通され、入口部と出口部を有する円筒状の本体と、
前記入口部と前記出口部との間において前記本体に設けられる屈曲部と、
を備え、
前記点検方法は、
前記他の機器を前記孔部から取り外すステップと、
前記ポンプ点検治具を前記孔部から前記ポンプケーシングの内部に挿入し、前記ポンプ点検治具の前記出口部を前記ポンプケーシングの内部において前記点検箇所の上方に配置するステップと、
前記ポンプ点検治具の前記入口部から前記内視鏡の先端を挿入するステップと、
前記ポンプ点検治具の前記出口部から外出した前記内視鏡の先端を下降させて、前記内視鏡の先端を前記点検箇所の近傍に配置するステップと、
前記内視鏡の先端に設けられた撮影装置で前記点検箇所を撮影するステップと、
を含むことを特徴とする立軸ポンプの点検方法。
【請求項２】
前記ポンプ点検治具の前記本体には、伸縮可能な伸縮部が設けられており、
前記点検方法は、さらに、
前記ポンプ点検治具の前記伸縮部を伸縮させて、前記ポンプケーシングの内部における前記ポンプ点検治具の前記出口部の位置を調整するステップを含む、請求項１に記載の立軸ポンプの点検方法。
【請求項３】
前記屈曲部は、屈曲角度を調整可能に構成されており、
前記点検方法は、さらに、
前記ポンプ点検治具の前記屈曲部の屈曲角度を調整して、前記ポンプケーシングの内部における前記ポンプ点検治具の前記出口部の位置を調整するステップを含む、請求項１または請求項２に記載の立軸ポンプの点検方法。
【請求項４】
前記他の機器は、自動空気抜き弁である、請求項１〜請求項３のいずれか一項に記載の立軸ポンプの点検方法。
【発明の詳細な説明】
【技術分野】
【０００１】
本発明は、立軸ポンプのポンプケーシングの内部を内視鏡で点検するための技術に関する。
【背景技術】
【０００２】
従来から、河川水などの液体を移送する目的で、各地に設置された排水設備で立軸ポンプが用いられている。立軸ポンプは、一般に、吊下管が吸込水槽上部のポンプ据付床に設置されている。このような構造を有する立軸ポンプは、羽根車や水中軸受が水中に浸漬された状態で運転されるため、運転時間の経過とともに立軸ポンプを構成する部材が徐々に摩耗する。また、吊下管、ガイドケーシング、羽根車などに腐食が発生する場合もある。このため、立軸ポンプの内部点検を定期的に行って、羽根車やガイドケーシングなどにおける摩耗状況や腐食の発生状況を把握し、必要に応じて補修または交換を行うことが必要となる。
【０００３】
そのため従来から、立軸ポンプの内部状況を容易に点検するための様々な装置や方法が提案されている。例えば、ポンプケーシング内に水平に配置されるレールと、ポンプケーシングに設けられた点検口にレールを固定するための点検口固定具と、ポンプケーシングの内面にレールを固定するための内面固定具と、レール上を水平方向に移動可能な点検ユニットを備えた点検装置が提案されている。点検口固定具は、レールの一端部に取り付けられ、内面固定具はレールの他端部に取り付けられる。点検ユニットは、例えば、ポンプケーシング内部の画像を撮影する撮影装置であり、ポンプケーシング内を上下方向に移動可能に構成されている（特許文献１参照）。ポンプケーシングに点検口（ハンドホール）が設けられている場合には、このような装置を用いてポンプケーシングの内部を点検することができる。
【先行技術文献】
【特許文献】
【０００４】
【特許文献１】特開２０１５−９６７０７号公報
【発明の概要】
【発明が解決しようとする課題】
【０００５】
しかしながら、従来の装置や方法においては、ポンプケーシングに点検口（ハンドホール）が設けられていない場合について、何ら考慮がされていなかった。
【０００６】
一般に、点検口は、ポンプケーシングの点検箇所の上方（真上）に設けられている。その点検口から内視鏡の先端を挿入し、重力にしたがって内視鏡の先端を下方（真下）におろしていき、点検箇所の近傍まで内視鏡の先端が到達すると、その内視鏡の先端の撮影装置で点検箇所の画像を撮影して点検を行う。
【０００７】
ところが、ポンプケーシングに点検口が設けられていない場合には、従来の装置や方法を用いることができない。ポンプケーシングには、自動空気抜き弁などの他の機器が取り付けられる孔部が設けられているものがあるが、通常、そのような孔部は、ポンプケーシングの点検箇所の上方（真上）に設けられていない。そのため、仮にそのようなポンプケーシングに対して従来の装置や方法を用いたとすると、その孔部に内視鏡の先端を挿入し、重力にしたがって内視鏡の先端を下方（真下）におろしていったときに、内視鏡の先端がポンプケーシングの内面に衝突してしまうことになる。ポンプケーシングの内面には、泥などが付着していることが多い。内視鏡の先端がポンプケーシングの内面に衝突して、内視鏡の先端の撮影装置にポンプケーシング内面の泥が付着すると、撮影装置で点検箇所の画像をきれいに撮影することができなくなってしまう。そのため、点検箇所の上方に点検口が設けられていないポンプケーシングであっても、内視鏡を用いて点検箇所を点検することができる技術の開発が望まれていた。
【０００８】
本発明は、上記の課題に鑑みてなされたもので、点検箇所の上方に点検口が設けられていないポンプケーシングであっても、内視鏡を用いて点検箇所を容易に点検することのできる立軸ポンプの点検方法を提供することを目的とする。
【課題を解決するための手段】
【０００９】
本発明の立軸ポンプの点検方法は、内視鏡およびポンプ点検治具を用いて立軸ポンプのポンプケーシングの内部を点検する点検方法であって、前記ポンプケーシングには、点検箇所の上方に点検口が設けられておらず、前記点検箇所の上方からオフセットされた位置に他の機器が取り付けられる孔部が設けられており、前記ポンプ点検治具は、前記内視鏡が内部に挿通され、入口部と出口部を有する円筒状の本体と、前記入口部と前記出口部との間において前記本体に設けられる屈曲部と、を備え、前記点検方法は、前記他の機器を前記孔部から取り外すステップと、前記ポンプ点検治具を前記孔部から前記ポンプケーシングの内部に挿入し、前記ポンプ点検治具の前記出口部を前記ポンプケーシングの内部において前記点検箇所の上方に配置するステップと、前記ポンプ点検治具の前記入口部から前記内視鏡の先端を挿入するステップと、前記ポンプ点検治具の前記出口部から外出した前記内視鏡の先端を下降させて、前記内視鏡の先端を前記点検箇所の近傍に配置するステップと、前記内視鏡の先端に設けられた撮影装置で前記点検箇所を撮影するステップと、を含んでいる。
【００１０】
この方法によれば、点検箇所の上方に点検口が設けられていないポンプケーシングであっても、ポンプ点検治具を用いることにより内視鏡の先端を点検箇所の近傍に容易に配置することができ、内視鏡の先端の撮影装置を用いて点検箇所を点検することができる。
【００１１】
また、本発明の立軸ポンプの点検方法では、前記ポンプ点検治具の前記本体には、伸縮可能な伸縮部が設けられており、前記点検方法は、さらに、前記ポンプ点検治具の前記伸縮部を伸縮させて、前記ポンプケーシングの内部における前記ポンプ点検治具の前記出口部の位置を調整するステップを含んでもよい。
【００１２】
この方法によれば、ポンプ点検治具の伸縮部を伸縮させることにより、ポンプケーシングの内部におけるポンプ点検治具の出口部の位置を容易に調整することができる。これにより、ポンプ点検治具を用いて内視鏡の先端を点検箇所の近傍に容易に配置することができ、内視鏡の先端の撮影装置を用いて点検箇所を点検することが可能になる。
【００１３】
また、本発明の立軸ポンプの点検方法では、前記屈曲部は、屈曲角度を調整可能に構成されており、前記点検方法は、さらに、前記ポンプ点検治具の前記屈曲部の屈曲角度を調整して、前記ポンプケーシングの内部における前記ポンプ点検治具の前記出口部の位置を調整するステップを含んでもよい。
【００１４】
この方法によれば、ポンプ点検治具の屈曲部の屈曲角度を調整することにより、ポンプケーシングの内部におけるポンプ点検治具の出口部の位置を容易に調整することができる。これにより、ポンプ点検治具を用いて内視鏡の先端を点検箇所の近傍に容易に配置することができ、内視鏡の先端の撮影装置を用いて点検箇所を点検することが可能になる。
【００１５】
また、本発明の立軸ポンプの点検方法では、前記他の機器は、自動空気抜き弁であってもよい。
【００１６】
この方法によれば、自動空気抜き弁を取り外すことにより、自動空気抜き弁が取り付けられていた孔部からポンプ点検治具を挿入することができる。これにより、ポンプ点検治具を用いて内視鏡の先端を点検箇所の近傍に容易に配置することができ、内視鏡の先端の撮影装置を用いて点検箇所を点検することが可能になる。
【発明の効果】
【００１７】
本発明によれば、点検箇所の上方に点検口が設けられていないポンプケーシングであっても、内視鏡を用いて点検箇所を容易に点検することができる。
【図面の簡単な説明】
【００１８】
【図１】本発明の実施の形態における立軸ポンプの構成を示す説明図である。
【図２】本発明の実施の形態におけるポンプ点検治具の一例を示す切欠き斜視図である。
【図３】本発明の実施の形態におけるポンプ点検治具の他の例を示す斜視図である。
【図４】本発明の実施の形態におけるポンプ点検治具のさらに他の例を示す斜視図である。
【図５】本発明の実施の形態における立軸ポンプの点検方法の流れを説明するための説明図である。
【図６】本発明の実施の形態における立軸ポンプの点検方法の流れを説明するための説明図である。
【図７】本発明の実施の形態における立軸ポンプの点検方法の流れを説明するための説明図である。
【図８】本発明の実施の形態における立軸ポンプの点検方法の流れを説明するための説明図である。
【発明を実施するための形態】
【００１９】
以下、本発明の実施の形態の立軸ポンプの点検方法について、図面を用いて説明する。本実施の形態では、立軸ポンプのメンテナンス等に用いられる立軸ポンプの点検方法の場合を例示する。
【００２０】
本発明の実施の形態の点検方法が適用される立軸ポンプの構成を、図面を参照して説明する。図１は、立軸ポンプの全体構成を概略的に示した説明図（断面図）である。図１に示すように、立軸ポンプ１のポンプケーシング２は、ガイドケーシング３と吊下管４と吐出曲管５で構成されている。ガイドケーシング３は、吊下管４によって吸込水槽６内に吊り下げられている。吊下管４の上端には、吐出曲管５が接続されている。ポンプケーシング２は、吸込水槽６の上部のポンプ据付床７に据付ベース８を介して固定されている。
【００２１】
吸込ベルマウス９は、下方に向けて開口している。吸込ベルマウス９の上端は、ガイドケーシング３の下端に接続されている。羽根車１１の上方には、複数のガイドベーン１８が設けられている。ガイドベーン１８は、ガイドケーシング３の内周面に固定されている。
【００２２】
羽根車１１は、回転軸１２（主軸）に固定されており、羽根車１１と回転軸１２は一体的に回転する。回転軸１２は、鉛直方向に延びており、軸受１３により回転自在に支持されている。回転軸１２は、吐出曲管５から上方に突出して、駆動源１４に連結されている。駆動源１４を運転することにより、回転軸１２を介して羽根車１１を回転させると、吸込水槽６内の水（河川から引き込まれた水など）が吸込ベルマウス９から吸い込まれ、ガイドケーシング３、吊下管４、吐出曲管５を通って、吐出配管１５に移送される。
【００２３】
図１に示すように、このポンプケーシング２（吐出曲管５）には、点検箇所の上方に点検口Ｈが設けられていない。一方、このポンプケーシング２（吐出曲管５）には、他の機器（例えば、自動空気抜き弁１６）が取り付けられる孔部１７が設けられている。孔部１７は、点検箇所の上方からオフセットされた位置に設けられている。図１の例では、孔部１７は、点検箇所の上方から吐出配管１５側（図１における左側）にオフセットされている。
【００２４】
つぎに、立軸ポンプ１の点検に用いられるポンプ点検治具の構成を、図面を参照して説明する。図２は、ポンプ点検治具の一例を示す斜視図（切欠き斜視図）である。図２に示すように、ポンプ点検治具２０は、内視鏡が内部に挿通される円筒状の本体２１を有している。なお、図２では、説明の便宜のために、円筒状の本体２１の半分（右側の半円分）が切り欠かれて図示されている。また、内視鏡の図示は省略し、内視鏡が挿通される経路が矢印で示されている。
【００２５】
また、ポンプ点検治具２０の本体２１の一端には入口部２２が設けられ、本体２１の他端には出口部２３が設けられている。入口部２２と出口部２３は、開口である。したがって、入口部２２を入口側の開口、出口部２３を出口側の開口と呼ぶこともできる。ポンプ点検治具２０の本体２１には、入口部２２と出口部２３との間に屈曲部２４が設けられている。
【００２６】
この場合、ポンプ点検治具２０の本体２１は、複数の円筒状パーツから構成されており、可撓性を有している。したがって、入口部２２と出口部２３との間の任意の箇所で、本体２１を屈曲させて屈曲部２４を形成することができる。
【００２７】
図３には、ポンプ点検治具２０の他の例が示される。この場合、ポンプ点検治具２０の本体２１には、入口部２２と出口部２３との間に、伸縮可能な伸縮部２５が設けられている。図３の例では、入口部２２と出口部２３との間において、２つの屈曲部２４と２つの伸縮部２５が設けられている。ここでは図示を省略するが、伸縮部２５は、例えば内側管と外側管で構成されており、内側管に対して外側管をスライドさせることにより、任意に伸縮させる（長さを調整する）ことができる。
【００２８】
図４には、ポンプ点検治具２０のさらに他の例が示される。この場合、ポンプ点検治具２０の本体２１には、入口部２２と出口部２３との間において蛇腹構造が設けられている。蛇腹構造が設けられた部分で、本体２１を屈曲させて屈曲部２４を形成することができる。蛇腹構造を採用しているため、この屈曲部２４は、屈曲角度を任意に調整することができる。なお、図４の例では、入口部２２と出口部２３との間において、伸縮部２５も１つ設けられている。
【００２９】
つづいて、図５〜図８を参照しながら、立軸ポンプ１の点検方法の流れを説明する。なお、図５〜図８においても、説明の便宜のために、円筒状の本体２１の半分（右側の半円分）が切り欠かれて図示されている。また、内視鏡の図示も省略し、内視鏡が挿通される経路が矢印で示されている。
【００３０】
内視鏡とポンプ点検治具２０を用いて立軸ポンプ１の点検を場合には、まず、図５に示すように、自動空気抜き弁１６を孔部１７から取り外す。そして、ポンプ点検治具２０を孔部１７からポンプケーシング２の内部に挿入し、ポンプ点検治具２０の出口部２３をポンプケーシング２の内部において点検箇所の上方に配置する。
【００３１】
このとき、ポンプ点検治具２０が伸縮部２５を有している場合には、ポンプ点検治具２０の伸縮部２５を伸縮させて、ポンプケーシング２の内部におけるポンプ点検治具２０の出口部２３の位置を調整してもよい。また、ポンプ点検治具２０が屈曲部２４を有している場合には、ポンプ点検治具２０の屈曲部２４の屈曲角度を調整して、ポンプケーシング２の内部におけるポンプ点検治具２０の出口部２３の位置を調整してもよい。
【００３２】
つぎに、図５に示すように、ポンプ点検治具２０の入口部２２から内視鏡の先端を挿入する。内視鏡の挿入をさらに続けると、図６に示すように、内視鏡の先端がポンプ点検治具２０の屈曲部２４にガイドされ、ポンプ点検治具２０の内部で内視鏡のケーブルが屈曲した状態になる。
【００３３】
そして、内視鏡の挿入をさらに続けると、図７に示すように、ポンプ点検治具２０の出口部２３から内視鏡の先端が外出し、出口部２３から外出した内視鏡の先端が重力にしたがって下降する。内視鏡の挿入をさらに続け、図８に示すように、内視鏡の先端が点検箇所の近傍まで到達すると、内視鏡の先端に設けられた撮影装置で点検箇所（例えば、ガイドベーン１８や羽根車１１の隙間など）を撮影する。
【００３４】
このような本実施の形態の点検方法によれば、点検箇所の上方に点検口Ｈが設けられていないポンプケーシング２であっても、ポンプ点検治具２０を用いることにより内視鏡の先端を点検箇所の近傍に容易に配置することができ、内視鏡の先端の撮影装置を用いて点検箇所を点検することができる。
【００３５】
本実施の形態では、ポンプ点検治具２０の伸縮部２５を伸縮させることにより、ポンプケーシング２の内部におけるポンプ点検治具２０の出口部２３の位置を容易に調整することができる。また、ポンプ点検治具２０の屈曲部２４の屈曲角度を調整することにより、ポンプケーシング２の内部におけるポンプ点検治具２０の出口部２３の位置を容易に調整することができる。また、自動空気抜き弁１６を取り外すことにより、自動空気抜き弁１６が取り付けられていた孔部１７からポンプ点検治具２０を挿入することができる。これにより、ポンプ点検治具２０を用いて内視鏡の先端を点検箇所の近傍に容易に配置することができ、内視鏡の先端の撮影装置を用いて点検箇所を点検することが可能になる。
【００３６】
以上、本発明の実施の形態を例示により説明したが、本発明の範囲はこれらに限定されるものではなく、請求項に記載された範囲内において目的に応じて変更・変形することが可能である。
【産業上の利用可能性】
【００３７】
以上のように、本発明にかかる立軸ポンプの点検方法は、点検箇所の上方に点検口が設けられていないポンプケーシングであっても、内視鏡を用いて点検箇所を容易に点検することができるという効果を有し、立軸ポンプのメンテナンス等に用いられ、有用である。
【符号の説明】
【００３８】
１  立軸ポンプ
２  ポンプケーシング
３  ガイドケーシング
４  吊下管
５  吐出曲管
６  吸込水槽
７  ポンプ据付床
８  据付ベース
９  吸込ベルマウス
１１  羽根車
１２  回転軸
１３  軸受
１４  駆動源
１５  吐出配管
１６  自動空気抜き弁（他の機器）
１７  孔部
１８  ガイドベーン
Ｈ  点検口（ハンドホール）
２０  ポンプ点検治具
２１  本体
２２  入口部
２３  出口部
２４  屈曲部
２５  伸縮部
【図１】
2018178714.tif 000003
【図２】
2018178714.tif 000004
【図３】
2018178714.tif 000005
【図４】
2018178714.tif 000006
【図５】
2018178714.tif 000007
【図６】
2018178714.tif 000008
【図７】
2018178714.tif 000009
【図８】
2018178714.tif 000010